(57)【要約】【課題】容易に後付けでタップオフ分岐構造を取り付けることができるバスダクト分岐システムを提供する。【解決手段】ハウジング内に複数の導電性接続部材１２１を備えたバスダクト１０と、複数の分岐導体４０が下方に突設された分岐装置２０とを有するバスダクト分岐システムであって、分岐装置２０は、バスダクト１０に取り付けられると、複数の分岐導体４０がそれぞれ、バスダクト１０の対応する導電性接続部材１２１に当接するようになっており、さらに、分岐装置２０には、バスダクト１０に取り付けられた際に、複数の分岐導体４０及び複数の導電性接続部材１２１を一括で締着可能な締着具４５及び押圧部材４３が設けられている。【選択図】図５
2018046657.tif 000002
【特許請求の範囲】
【請求項１】
ハウジング内に複数の導電性部材を備えたバスダクトと、複数の分岐導体が下方に突設された分岐装置とを有するバスダクト分岐システムであって、
前記分岐装置は、前記バスダクトに取り付けられると、複数の前記分岐導体のそれぞれが前記バスダクトの対応する前記導電性部材に当接するようになっており、
さらに、前記分岐装置には、前記バスダクトに取り付けられた際に、複数の前記分岐導体及び複数の前記導電性部材を一括で締着可能な締着部材が設けられていることを特徴とするバスダクト分岐システム。
【請求項２】
前記締着部材は、前記分岐導体および前記導電性部材と共に、前記バスダクトのハウジングも締着可能であることを特徴とする請求項１に記載のバスダクト分岐システム。
【請求項３】
前記分岐装置はハウジングを備え、
前記締着部材の締着により、前記バスダクトのハウジングと前記分岐装置のハウジングとが接続可能であることを特徴とする請求項２に記載のバスダクト分岐システム。
【請求項４】
前記分岐装置には、前記分岐導体毎に接続されている分岐側導電性部材が設けられ、
前記締着部材は、前記分岐導体及び前記導電性部材の一括締着に加えて、さらに、前記分岐導体及び前記分岐側導電性部材も締着可能であることを特徴とする請求項１乃至３の何れかに記載のバスダクト分岐システム。
【請求項５】
前記バスダクトのハウジングには、前記分岐装置の取り付け位置を位置決めするためのバスダクト側位置決め部が設けられ、
前記分岐装置には、前記バスダクト側位置決め部と位置決めされる分岐側位置決め部が設けられていることを特徴とする請求項１乃至４の何れかに記載のバスダクト分岐システム。
【請求項６】
前記バスダクトの複数の前記導電性部材は、第１のバスダクト導体と第２のバスダクト導体とをバスダクト側締着部材により電気的に接続するバスダクト接続部における導電性の接続部材であることを特徴とする請求項１乃至５の何れかに記載のバスダクト分岐システム。
【請求項７】
前記バスダクトは、少なくとも一方が前記導電性部材で構成され相互に離間し且つ相対向して配置された一対の接続部を有し、
前記分岐装置は、前記バスダクトに取り付けられた際に、一対の前記接続部の間に前記分岐導体が挿入され、
前記締着部材が、前記分岐導体、一対の前記接続部および前記ハウジングを締着可能であることを特徴とする請求項１乃至６の何れかに記載のバスダクト分岐システム。
【請求項８】
複数の分岐導体が下方に突設された分岐装置であって、
ハウジング内に複数の導電性部材を備えたバスダクトに取り付けられると、複数の前記分岐導体のそれぞれが前記バスダクトの対応する前記導電性部材に当接するようになっており、
前記バスダクトに取り付けられた際に、複数の前記分岐導体及び複数の前記導電性部材を一括で締着可能な締着部材と、
前記分岐導体毎に接続されている分岐側導電性部材とを有し、
前記締着部材は、前記分岐導体及び前記導電性部材の一括締着に加えて、さらに、前記分岐側導電性部材及び前記分岐導体も締着可能であることを特徴とする分岐装置。
【請求項９】
複数の分岐導体が下方に突設された分岐装置であって、
ハウジング内に複数の導電性部材を備えたバスダクトに取り付けられると、複数の前記分岐導体のそれぞれが前記バスダクトの対応する前記導電性部材に当接するようになっており、
前記バスダクトに取り付けられた際に、複数の前記分岐導体及び複数の前記導電性部材を一括で締着可能な締着部材を有し、
前記分岐導体は、相互に離間し且つ相対向して配置されている一対の導体として形成され、その少なくとも一方の下側端部が、もう一方の前記導体の下側端部に当接するように変形されていることを特徴とする分岐装置。
【発明の詳細な説明】
【技術分野】
【０００１】
本発明は、バスダクト分岐システム及び分岐装置に関し、例えば、バスダクトからタップオフで電力を分岐させるバスダクト分岐システム及び分岐装置に関する。
【背景技術】
【０００２】
従来から、建物の電気幹線としてバスダクトが利用されている。また、このバスダクトに流れる電力を設備機器や分電盤などに分岐するバスダクト分岐構造（以下、単に「分岐構造」）が知られており、例えば、特許文献１には、その構成が開示されている。特許文献１に記載の分岐構造は、バスダクト導体に分岐用の導体（以下、「タップオフ導体」）を重ねてボルトで締め付けることで分岐突設させ、そのタップオフ導体を利用することで、必要時にバスダクト導体に流れる電力を分岐できるようになっている。
【先行技術文献】
【特許文献】
【０００３】
【特許文献１】実開平７−１１８３４号公報
【発明の概要】
【発明が解決しようとする課題】
【０００４】
しかしながら、上述した従来技術の分岐構造は、以下に示す課題を有している。
【０００５】
具体的には、特許文献１に記載されたタイプの分岐構造は、バスダクト導体とタップオフ導体とを重ねてボルトで締め付けているため、プラグイン接続に比べて安定した電気的接続が実現でき、且つ必要時に電力を分岐させることができるようにはなっている。しかし、特許文献１に記載されたタイプの分岐構造は、後に必要になることを見越してタップオフ導体を有する接続ユニット（以下、単に「タップオフ接続ユニット」）を予め取り付けておく必要があり、手間がかかるという課題を有している。さらに、特許文献１に記載されたタイプの分岐構造は、未使用時のタップオフ導体がバスダクトのハウジングから大きく突出していて見栄えが悪いだけでなくバスダクトの周囲での作業の阻害要因にもなっている。また、予めタップオフ接続ユニットを取り付けていなかった部分で電力を分岐させたい場合には、タップオフ接続ユニットに交換する手間が生じていた。
【０００６】
本発明は、上記課題を解消するために提案するものであって、その目的は、バスダクトに予めタップオフ分岐構造を設けておかなくても、必要に応じて容易に後付けでタップオフ分岐構造を取り付けることができるバスダクト分岐システム及び分岐装置を提供することにある。
【課題を解決するための手段】
【０００７】
上記課題を解決するためになされた本発明は、ハウジング内に複数の導電性部材を備えたバスダクトと、複数の分岐導体が下方に突設された分岐装置とを有するバスダクト分岐システムであって、前記分岐装置は、前記バスダクトに取り付けられると、複数の前記分岐導体のそれぞれが前記バスダクトの対応する前記導電性部材に当接するようになっており、さらに、前記分岐装置には、前記バスダクトに取り付けられた際に、複数の前記分岐導体及び複数の前記導電性部材を一括で締着可能な締着部材が設けられていることを特徴とする。
【０００８】
上記の構成によれば、バスダクトに予めタップオフ分岐構造を設けておかなくても、タップオフ分岐構造を容易に後付けしてバスダクトから電力を分岐させることができる。具体的には、本発明によれば、バスダクトに分岐装置を取り付けることで、バスダクトの導電性部材に、分岐装置から下方に突設されている分岐導体を当接させ、締着部材により分岐導体および導電性部材を一括で締着できる。すなわち、バスダクトに分岐装置を後付けすることで、バスダクトに予めタップオフ分岐構造を設けている場合と同様のタップオフ分岐構造が実現され、プラグイン接続に比べて安定した電気的接続が可能になる。
【０００９】
また、前記締着部材は、前記分岐導体および前記導電性部材と共に、前記バスダクトのハウジングも締着可能であることが望ましい。
【００１０】
上記の構成によれば、分岐装置の締着部材により、導体同士の締着だけでなく、バスダクトのハウジングも締着するため、簡易な構造で強固なタップオフ分岐構造をバスダクトに設置することができる。その結果、仮に分岐装置に外力がかかったとしても、導電性部材と分岐導体の接続部分に力がかかり難くなり、安定した電気的接続を確保できる。
【００１１】
また、前記分岐装置はハウジングを備え、前記締着部材の締着により、前記バスダクトのハウジングと前記分岐装置のハウジングとが接続されるようになっていることが望ましい。
【００１２】
上記の構成によれば、分岐装置の締着部材により、導体同士の締着だけではなく、その締着によってバスダクトと分岐装置のハウジング同士が接続されるため、簡易な構造で強固なタップオフ分岐構造をバスダクトに設置することができる。その結果、仮に分岐装置に外力がかかったとしても、導電性部材と分岐導体の接続部分に力がよりかかり難くなり、安定した電気的接続を確保できる。
【００１３】
また、前記分岐装置には、前記分岐導体毎に接続されている分岐側導電性部材が設けられ、前記締着部材は、前記分岐導体及び前記導電性部材の一括締着に加えて、さらに、前記分岐導体及び前記分岐側導電性部材も締着可能であることが望ましい。
【００１４】
上記の構成によれば、分岐装置の導体部分を分岐導体と分岐側導電性部材との組み合わせにより形成することができ、また、専用の締結ボルト等も不要であるため、一体物として製造する場合に比べて容易かつ廉価に製造が可能となる。
【００１５】
また、前記バスダクトのハウジングには、前記分岐装置の取り付け位置を位置決めするためのバスダクト側位置決め部が設けられ、前記分岐装置には、前記バスダクト側位置決め部と位置決めされる分岐側位置決め部が設けられていることが望ましい。
【００１６】
この構成によれば、バスダクトに対して分岐装置を取り付ける際、容易に位置決めして締着することができる。
【００１７】
また、前記バスダクトの複数の前記導電性部材は、第１のバスダクト導体と第２のバスダクト導体とをバスダクト側締着部材により電気的に接続するバスダクト接続部における導電性の接続部材であることが望ましい。特に、バスダクト接続部における導電性の部材は、第１のバスダクト導体の端部と第２のバクダクト導体の端部との突合せ箇所を挟み込むように配置された一対の接続部材により構成され、バスダクト側締着部材により締結されて前記第１のバスダクト導体と前記第２のバスダクト導体とを電気的に導通させることが望ましい。
【００１８】
この構成によれば、バスダクトにバスダクト側締着部材がある場合にも、分岐導体と接続部材との締結は分岐装置に設けられた締結部材により行うことにより、バスダクト側締着部材により一括で締着する場合に比べて強固に結合することができ、強固なタップオフ分岐構造を容易に後付けでバスダクトに設置することができる。
【００１９】
また、前記バスダクトは、少なくとも一方が前記導電性部材で構成され相互に離間し且つ相対向して配置された一対の接続部を有し、前記分岐装置は、前記バスダクトに取り付けられた際に、一対の前記接続部の間に前記分岐導体が挿入され、前記締着部材が、前記分岐導体、一対の前記接続部および前記ハウジングを締着可能であることが望ましい。
【００２０】
上記構成によれば、挿入型の分岐導体を分岐装置に設けることができる。
【００２１】
また、上記課題を解決するためになされた本発明は、複数の分岐導体が下方に突設された分岐装置であって、ハウジング内に複数の導電性部材を備えたバスダクトに取り付けられると、複数の前記分岐導体のそれぞれが前記バスダクトの対応する前記導電性部材に当接するようになっており、前記バスダクトに取り付けられた際に、複数の前記分岐導体及び複数の前記導電性部材を一括で締着可能な締着部材と、前記分岐導体毎に接続されている分岐側導電性部材とを有し、前記締着部材は、前記分岐導体及び前記導電性部材の一括締着に加えて、さらに、前記分岐側導電性部材及び前記分岐導体も締着するようになっていることを特徴とする。
【００２２】
上記構成によれば、バスダクトに予めタップオフ分岐構造を設けておかなくても、タップオフ分岐構造を容易に後付けしてバスダクトから電力を分岐させることができる。また、分岐装置の導体部分を分岐導体と分岐側導電性部材との組み合わせにより形成することができ、一体物として製造する場合に比べて容易かつ廉価に製造が可能となる。
【００２３】
また、上記課題を解決するためになされた本発明は、複数の分岐導体が下方に突設された分岐装置であって、ハウジング内に複数の導電性部材を備えたバスダクトに取り付けられると、複数の前記分岐導体のそれぞれが前記バスダクトの対応する前記導電性部材に当接するようになっており、前記バスダクトに取り付けられた際に、複数の前記分岐導体及び複数の前記導電性部材を一括で締着可能な締着部材を有し、前記分岐導体は、相互に離間し且つ相対向して配置されている一対の導体として形成され、その少なくとも一方の下側端部が、もう一方の前記導体の下側端部に当接するように変形されていることを特徴とする。
【００２４】
上記構成によれば、バスダクトに予めタップオフ分岐構造を設けておかなくても、タップオフ分岐構造を容易に後付けしてバスダクトから電力を分岐させることができる。また、分岐導体の挿入部分を別途作成せずとも分岐導体端部の変形により形成できるため、その分、容易かつ廉価に製造が可能となる。
【発明の効果】
【００２５】
本発明によれば、バスダクトに予めタップオフ分岐構造を設けておかなくても、タップオフ分岐構造を容易に後付けしてバスダクトから電力を分岐させることができるバスダクト分岐システム及び分岐装置を提供することができる。
【図面の簡単な説明】
【００２６】
【図１】本発明の第１実施形態のバスダクト分岐システムを構成するバスダクトを説明するための図であり、（a）が平面図であり、（ｂ）が側面図である。
【図２】本発明の第１実施形態のバスダクトの断面を示す模式図であり、（a）がバスダクトを構成するバスダクトユニットの断面を示す模式図であり、（ｂ）がバスダクトを構成する接続ユニットの断面を示す模式図である。
【図３】本発明の第１実施形態のバスダクト分岐システムを構成する分岐装置を説明するための模式図であり、（a）が平面図であり、（ｂ）が側面図である。
【図４】本発明の第１実施形態のバスダクト分岐システムを構成する分岐装置の分岐ユニットの断面を示す模式図である。
【図５】本発明の第１実施形態のバスダクト分岐システムを構成する分岐装置がバスダクトに装着された状態を示した模式図である。
【図６】本発明の第１実施形態のバスダクト分岐システムを構成する分岐装置がバスダクトに装着された状態の断面を示した模式図である。
【図７】本発明の第１実施形態のバスダクト分岐システムの分岐側位置決め部の変形例を示した図であり、（ａ）が側面図、（ｂ）が背面図である。
【図８】本発明の第１実施形態のバスダクト分岐システムに対して、図７に示す変形例の分岐側位置決め部を装着した状態を示した模式図である。
【図９】本発明の第２実施形態のバスダクト分岐システムを構成するバスダクトを説明するための図であり、（ａ）がバスダクトの側面図、（ｂ）がバスダクトのハウジング内の導体の端部を示した模式図である。
【図１０】本発明の第２実施形態のバスダクトを構成する接続ユニットの断面を示す模式図である。
【図１１】本発明の第２実施形態のバスダクト分岐システムを構成する分岐装置の側面図である。
【図１２】本発明の第２実施形態のバスダクト分岐システムを構成する分岐装置の分岐ユニットの断面を示す模式図である。
【図１３】本発明の第２実施形態のバスダクト分岐システムを構成する分岐装置がバスダクトに装着された状態を示した模式図である。
【図１４】本発明の第２実施形態のバスダクト分岐システムを構成する分岐装置がバスダクトに装着された状態の断面を示した模式図である。
【図１５】本発明の実施形態の分岐装置の変形例を示した図であり、（ａ）が平面図、（ｂ）が側面図である。
【図１６】図１５に示す分岐装置の模式断面図である。
【発明を実施するための形態】
【００２７】
以下、本発明の実施形態のバスダクト分岐システムについて図面に基づいて説明する。尚、本発明のバスダクト分岐システムは、以下の実施形態（第１〜２実施形態）及び他の実施形態に限定されるものではない。
【００２８】
《第１実施形態》
先ず、第１実施形態のバスダクト分岐システムについて図１〜６を用いて説明する。
第１実施形態のバスダクト分岐システムは、図５及び図６に示すように、バスダクト１０と、バスダクト１０に取り付けられる分岐装置２０とを備えている。
尚、後述するが、バスダクト１０のハウジングは、図１及び図２に示すように、バスダクトユニット１１のパイプスペーサ１１２及び側板１１３と、接続ユニット１２の接続側板１２３及び接続上下板３０とを有する構成になっている。
【００２９】
ここで、分岐装置２０は、複数の分岐導体４０（平板状の分岐導体４０）の一端側を下方（バスダクト１０に取り付ける際のバスダクト１０の方向）に突設させている。この分岐装置２０は、バスダクト１０に取り付けられると、複数の分岐導体４０の一端部がそれぞれ、バスダクト１０の対応する導電性接続部材１２１に当接するようになっている。また、分岐装置２０には、バスダクト１０に取り付けられた際に、複数の分岐導体４０、および複数の導電性接続部材１２１を一括で締着可能な「締着具４５及び押圧部材４３」により構成される締着部材が設けられている（図３、４参照）。尚、「締着具４５及び押圧部材４３」は、分岐装置２０がバスダクト１０に取り付けられた際に、その少なくとも一部がバスダクト１０のハウジングの外側に配置されるようになっている。
また、バスダクト１０のハウジング内には、分岐装置２０の複数の分岐導体４０のそれぞれに対応する複数組の導電性接続部材１２１・１２１（導電性部材）が所定幅だけ離間して設けられている。尚、導電性接続部材１２１・１２１は、相互に相対向するように配置されている。
そして、バスダクト１０に分岐装置２０が取り付けられた際に、バスダクト１０の導電性接続部材１２１・１２１の間に分岐装置２０の分岐導体４０が挿入されて当接し、締着具４５及び押圧部材４３によって、これら複数の分岐導体４０、導電性接続部材１２１・１２１及びバスダクト１０のハウジングを一括して締着できるようになっている。
【００３０】
上記の構成によれば、バスダクト１０に予めタップオフ分岐構造を設けておかなくても、必要に応じて後付けで容易にタップオフ分岐構造を取り付けることができる。
【００３１】
次に、第１実施形態のバスダクト分岐システムの各構成について順番に説明していく。
【００３２】
先ず、バスダクト１０の構成について図１及び図２を参照しながら説明する。
図１及び図２に示すように、バスダクト１０は、絶縁被覆された導体１１１aをハウジングで覆った構成であり、バスダクトユニット１１・１１を別体の接続ユニット１２を介して相互に接続することで形成されている。すなわち、第１実施形態のバスダクト１０は、複数のバスダクトユニット１１と、隣接配置されたバスダクトユニット１１を接続する接続ユニット１２とを有する構成になっている。
【００３３】
バスダクトユニット１１は、図２（ａ）に示すように、絶縁被覆された例えば３相の絶縁被覆導体１１１（平板状の送電用の導体１１１ａを絶縁物で被覆して形成された絶縁被覆導体１１１）が並設され、絶縁被覆導体１１１の幅方向両側に平面視略方形のパイプスペーサ１１２が配置されている。また、バスダクトユニット１１は、絶縁被覆導体１１１及びパイプスペーサ１１２を断面略コ字形の一対の側板１１３・１１３で一括して狭持し、側板１１３に挿通したボルト１１４ａ、ナット１１４ｂ等の締着具を緊締して固定されている。尚、バスダクトユニット１１のハウジング内の導体１１１ａの端部は、絶縁物で被覆されておらず、接続ユニット１２の導電性接続部材１２１を介して、隣接して設置されるバスダクトユニット１１のハウジング内の導体１１１ａの端部（絶縁物で被覆されていない端部）と電気的に接続できるように構成されている。
【００３４】
上記の側板１１３は、その上下両端縁に、狭持している絶縁被覆導体１１１から外方へ向かって第１補強部１１３ａが略直角に延設され、第１補強部１１３ａの端縁には互いに向きあう方向に第２補強部１１３ｂが略直角に延設され、バスダクトユニット１１やバスダクト１０自体の強度を保っている。尚、バスダクトユニット１１において、パイプスペーサ１１２、側板１１３（後述する膨出側部１１５を含む）がハウジングに相当する。
【００３５】
また、接続ユニット１２は、図２（ｂ）に示すように、接続すべきバスダクトユニット１１・１１の同相導体１１１ａ・１１１ａ間を接続する接続部材としての導電性接続部材１２１と、絶縁セパレータ１２２と、これらを外方から狭持する接続側板１２３と、接続側板１２３の外方に配置された押圧部材１２４とが設けられており、これらを絶縁スリーブ１２５に挿通してなる締着具１２６で緊締してバスダクトユニット１１・１１を相互に接続する構成であり、接続前には締着具１２６によって仮締着された状態になっている。
尚、絶縁セパレータ１２２は、導電性接続部材１２１を含む異相の導体１１１ａ・１１１ａ間及び導電性接続部材１２１を含む最外側の導体１１１ａと接続側板１２３間を絶縁する位置に設置されている。
また、接続側板１２３は、図１（ａ）に示すように、平面視で略ハット形状に屈曲形成されており、その凹部１２３ａに押圧部材１２４の少なくとも一部が収納されるようになっている。
【００３６】
接続ユニット１２でバスダクトユニット１１・１１を接続してバスダクト１０を構成する場合、接続すべきバスダクトユニット１１・１１の導体１１１ａ・１１１ａの端部を同相の導電性接続部材１２１・１２１間に挿入し、バスダクト側板１１３と接続側板１２３とをボルトナット等の締着具で固定し、その後、仮締着している締着具１２６を緊締し、更に対応開放面である上下面に接続上下板３０をそれぞれ配置してバスダクトユニット１１・１１にビス止めする等で固定し、前記開放面を塞ぐことにより、バスダクトユニット１１・１１相互の接続が完了する。このようにして、バスダクト１０のハウジングは、接続ユニット１２において、バスダクトの厚み方向に膨張した膨張部（図１（ｂ）における左側のバスダクトユニット１１の膨出側部１１５と、右側の膨出側部１１５との間に挟まれた部分）が形成されている。尚、接続ユニット１２において、接続側板１２３、接続上下板３０がハウジングに相当する。
尚、接続上下板３０は、平板状の基部３２と、基部３２の側方の両端縁を略直角に屈曲延設してなる補強片３４とを有する構成になっている。
【００３７】
次に分岐装置２０について図３及び図４を参照しながら説明する。
図３に示すように、分岐装置２０は、ボックス形の箱体２２と分岐ユニット６０とを備えている。箱体２２は、板状の底面２２ａを有し、この底面２２ａから周壁である側壁２２ｂ・２２ｂ、前壁２２ｃ、後壁２２ｄが立設し、その上面には開閉可能な蓋体２２ｅが設けられている。尚、箱体２２においては、これら底面２２ａ、周壁２２ｂ、前壁２２ｃ、後壁２２ｄ、蓋体２２ｅがハウジングに相当する。
【００３８】
箱体２２の前壁２２ｃ側には、分岐導体４０を下方へ突設した分岐ユニット６０が固定されている。
また、底面２２ａの後壁２２ｄ側には固定部材２６が設けられている。箱体２２内には、ブレーカ２３と、このブレーカ２３に対して分岐導体４０を電気的に接続するための接続導体２４（分岐側導電性部材）とが設置され（各分岐導体４０にそれぞれ接続導体２４が電気的に接続され）、図には省略するが、接続導体２４からブレーカ２３を介して箱体２２の外に電力を分岐する構成となっている。
尚、接続導体２４は、後端部側が箱体２２の内部に配置され、先端部側が前壁２２ｃから前方に突出した状態になるように箱体２２に設置されている。また、接続導体２４は、その後端端部側がブレーカ２３に接続され、先端端部側が分岐導体４０に接続されている。
【００３９】
分岐ユニット６０は、図４に示すように、箱体２２から突出している各接続導体２４の厚さ方向の両側に配置される一対の分岐導体４０（板状の分岐導体４０）と、絶縁セパレータ４１と、これらの外方に配置される分岐側板４２と、分岐側板４２の外方にさらに配置された押圧部材４３とを有し、これらを絶縁スリーブ４４に挿通してなる締着具４５で緊締する構成となっている（押圧部材４３及び締着具４５が締着部材に相当する）。また、一対の分岐導体４０は、相互に離間し且つ相対向するように配置されている。
尚、絶縁セパレータ４１は、分岐導体４０を含む異相の接続導体２４間及び分岐導体４０を含む最外側の接続導体２４と分岐側板４２間を絶縁する位置に設置されている。また、絶縁スリーブ４４は、両端を貫通する貫通孔が形成された中空筒状になっており、分岐導体４０及び絶縁セパレータ４１を貫通した状態で設置されている。また、押圧部材４３は、絶縁スリーブ４４の貫通孔に連通するボルト孔が形成されている。そして、締着具４５を構成するボルトが、押圧部材４３のボルト孔及び絶縁スリーブ４４の貫通孔に挿通され、締着具４５を締め付けることで、「押圧部材４３及び締着具４５」により「接続導体２４、分岐導体４０、絶縁セパレータ４１、分岐側板４２等」が締結されるようになっている。
また、分岐側板４２は、図３（ａ）に示すように、上下両端部が平面視で略ハット形状に屈曲形成されており、その凹部４２ａに押圧部材４３の少なくとも一部が収納されるようになっている。
【００４０】
分岐ユニット６０には、上面から前面に亘って覆うカバー４６が設けられている。カバー４６は、分岐ユニット６０の上面を覆う平板状の上面基部４６ａと、上面基部４６ａの前方の端縁を略直角に下方に屈曲延設してなる前面基部４６ｂと、前面基部４６ｂの前方の端縁を略直角に前方に屈曲延設してなる前方接続片４６ｃと、上面基部４６ａの後方の端縁を略直角に上方に屈曲穿設して成る後方接続片４６ｄといった複数の部位を有する構成となっている。また、上記のカバー４６を構成する部位のうち、後方接続片４６ｄを除く各部位（上面基部４６ａ、前面基部４６ｂ、前方接続片４６ｃ）には、各部位の側方・両端縁を略直角に屈曲して延設された補強片４６ｅが形成されている。
尚、分岐ユニット６０において、分岐側板４２及びカバー４６がハウジングに相当する。そして、分岐導体４０は、分岐側板４２及びカバー４６により構成されるハウジングに、その一部（下端部）が分岐側板４２の下端から突出した状態で覆われている。
また、分岐ユニット６０は、箱体２２を分岐ユニット６０側に延長することにより、箱体２２の内部に一部又は全部が収納される構成とすることも可能である（この場合、ハウジングに覆われた分岐ユニット６０を更に箱体２２のハウジングで覆う構成となる）。
【００４１】
分岐導体４０は、図４に示すように、上述の接続ユニット１２における導電性接続部材１２１（図２）と類似する構成であるが、その下端が分岐側板４２の下端よりも下方に延設され（突出しており）、先端部分において同相の分岐導体４０・４０同士が接するように段差が設けられている。すなわち、一対の分岐導体４０の先端部側を屈曲させて（変形させて）段差を設けることで、同相の分岐導体４０・４０の先端部同士が当接するようにしている。これにより、分岐導体４０・４０の下端に、バスダクト１０の導体１１１ａと略同じ幅の挿入部４０ａが形成されるようになっている。尚、挿入部４０aは、片側の分岐導体４０のみを下方に延設してその端部を利用して形成するようにしても良いし、接続導体２４を側面視で略Ｌ字型に形成して分岐ユニット６０の下方から直接突出させ、その端部を利用して形成するようにしても良く（つまりこの場合、接続導体２４自体が分岐側導電性部材と分岐導体の両方を兼ねていることになる）、その構成は適宜である。また、一対の分岐導体４０・４０は、その少なくとも一方の下側端部が、もう一方の分岐導体４０側に向けて屈曲した形状に変形され、もう一方の分岐導体４０の下側端部に当接するように形成されていても良い。
【００４２】
次に、分岐装置２０をバスダクト１０に取り付ける施工手順について説明する。
【００４３】
先ず、作業者は、バスダクト１０の接続ユニット１２の上側の接続上下板３０を取り外し、接続ユニット１２の締着具１２６を緩める。その後、分岐ユニット６０の部分が接続ユニット１２の近傍に位置するように分岐装置２０を移動させ、バスダクト１０（接続ユニット１２）の接続側板１２３の凹部１２３ａに分岐装置２０の押圧部材４３（締着部材の一部）を位置合わせして上から挿入するようにして、バスダクト１０に当接するまで分岐装置２０を近づける。すなわち、この場合、凹部１２３ａがバスダクト側位置決め部となり、押圧部材４３が分岐側位置決め部となっている。
【００４４】
ことのき、図６に示すように、分岐装置２０の挿入部４０ａ（分岐導体４０）は、バスダクト１０のハウジングの内部に挿通され、バスダクト１０を構成する接続ユニット１２の同相の導電性接続部材１２１・１２１間に挿入されてこれら導電性接続部材１２１・１２１に当接した状態（挿入部４０ａと導電性接続部材１２１とが接した状態や、僅かに離間して対向配置された状態を広く含む）となる。また、分岐装置２０の絶縁セパレータ４１が、接続ユニット１２の絶縁セパレータ１２２に設けられた沿面距離確保用の隙間に挿入された状態となる。
【００４５】
次に、作業者は、接続ユニット１２の締着具１２６を締め付けると共に、分岐ユニット６０の締着具４５を締め付け、固定部材２６（図５参照）でバスダクト１０の第１補強部１１３ａ（図２、図５参照）を把持する。尚、締着具１２６による締め付けは、一度緩めた締着具１２６を再締め付けしても良いし、別途新たに用意した締着具１２６で締め付けても良い。
【００４６】
このとき、分岐ユニット６０の締着部材（締着具４５及び押圧部材４３）は、分岐装置２０側において、複数（この場合３相）の接続導体２４と、その厚さ方向の両側にそれぞれ配置される一対の分岐導体４０・４０と、絶縁セパレータ４１と、これらの外方に配置される一対の分岐側板４２・４２とを締め付けることで、接続導体２４と分岐導体４０とを電気的に接続すると共に、接続導体２４や分岐導体４０を分岐装置２０のハウジング（この場合、分岐側板４２）に機械的に固定している。
【００４７】
その一方で、分岐ユニット６０の締着部材（締着具４５及び押圧部材４３）は、バスダクト１０側において、複数（この場合３相）の挿入部４０ａ（分岐導体４０）と、その厚さ方向の両側にそれぞれ配置される一対の導電性接続部材１２１・１２１と、絶縁セパレータ１２２と、これらの外方に配置される一対の接続側板１２３・１２３とを締め付けることで、分岐導体４０と導電性接続部材１２１とを電気的に接続すると共に、分岐導体４０や導電性接続部材１２１をバスダクト１０のハウジング（この場合、接続側板１２３）に機械的に固定している。
【００４８】
このようにして、第１実施形態によれば、バスダクト１０に予めタップオフ分岐構造を設けておかなくても、分岐装置２０を取り付けることによって、分岐導体４０によるタップオフ分岐構造を容易に後付けしてバスダクト１０から電力を分岐させることができる。
【００４９】
また、第１実施形態によれば、分岐装置２０の締着部材（締着具４５及び押圧部材４３）により、分岐導体４０と導電性接続部材１２１との締着だけでなく、バスダクト１０のハウジング（接続側板１２３）も一緒に締め付けるため、簡易な構造で機械的にも電気的にも強固なタップオフ分岐構造をバスダクトに設置することができる。
【００５０】
上記効果を以下に詳述する。
具体的には、分岐導体４０及び導電性接続部材１２１の接続部分は、バスダクト１０と分岐装置２０との電気的接触を実現している重要な部分であり、安定した接続を維持することが望まれている。しかし、仮に、分岐導体４０及び導電性接続部材１２１のみを締着部材（締着具４５及び押圧部材４３）で締め付ける構造になっているとすると、分岐装置２０に外力が加わった際に、その力（特に、分岐導体４０近傍に加えられる荷重）は、分岐導体４０を介して全て導電性接続部材１２１に伝わるようになる。すなわち、分岐導体４０及び導電性接続部材１２１のみを締着部材（締着具４５及び押圧部材４３）で締め付ける構造を採用した場合、分岐導体４０と導電性接続部材１２１との間において、安定した電気的接続を維持できない虞が生じる。
これに対し、第１実施形態のように、バスダクト１０のハウジング（接続側板１２３）も一緒に締着部材（締着具４５及び押圧部材４３）で締め付ける構造を採用することにより、分岐装置２０に加わった外力は、分岐導体４０を介して導電性接続部材１２１だけでなくバスダクト１０のハウジング（接続側板１２３）に分散する。そのため、第１実施形態によれば、分岐導体４０及び導電性接続部材１２１の接続部分へ加わる力は、分散する分だけ低減されることとなり、より安定した電気的接続の維持に繋がる。また、バスダクト１０のハウジング（接続側板１２３）と接続しているので、単純に機械的強度が向上するという効果もある。
【００５１】
さらに、第１実施形態では、分岐装置２０の締着部材（締着具４５及び押圧部材４３）が、その締着によって、バスダクト１０のハウジング（接続側板１２３）と分岐ユニット６０のハウジング（分岐側板４２）とを接続するようになっている。これにより、分岐装置２０に外力が加わった際に、その力（特に、分岐導体４０近傍へ加わる力）は、分岐導体４０を介して導電性接続部材１２１に伝わる以前に、まず分岐装置２０のハウジング（分岐側板４２）を介してバスダクト１０のハウジング（接続側板１２３）に伝わることとなる。すなわち、分岐導体４０及び導電性接続部材１２１の接続部分へ加わる力はその分だけ低減されることとなり、より安定した電気的接続の維持に繋がる。また、バスダクト１０のハウジング（接続側板１２３）と分岐装置２０のハウジング（分岐側板４２）とが接続されているので、単純に機械的強度が向上するという効果もある。その結果、簡易な構造で機械的にも電気的にも強固なタップオフ分岐構造をバスダクト１０に設置することができる。
【００５２】
さらに第１実施形態では、分岐装置２０の締着部材（締着具４５及び押圧部材４３）が、バスダクト１０側における分岐導体４０と導電性接続部材１２１との締着だけでなく、分岐装置２０側において分岐導体４０と接続導体２４（分岐側導電性部材）とを締着するようになっている。これにより、分岐装置２０の導体部分を分岐導体４０と接続導体２４（分岐側導電性部材）との組み合わせにより形成することができ、また、専用の締結ボルト等も不要であるため、一体物として製造する場合に比べて容易かつ廉価に製造が可能となる。
【００５３】
《第１実施形態の変形例》  
尚、第１実施形態では、締着部材（締着具４５及び押圧部材４３）で「バスダクト１０のハウジング（接続側板１２３）」及び「分岐装置２０のハウジング（分岐側板４２）」の両方を一緒に締着する構成について述べたが、特にこれに限定されるものではない。締着部材（締着具４５及び押圧部材４３）が「バスダクト１０のハウジング（接続側板１２３）」及び「分岐装置２０のハウジング（分岐側板４２）」の両方または片方を締着しないように構成されていても良い。この場合、締着部材（締着具４５及び押圧部材４３）をハウジングの内側に配置するようにして、不用意に触れないように覆う構成にすることもできる。
また、第１実施形態では、締着部材が締着具４５及び押圧部材４３である場合について述べたが、特にこれに限定されるものではない。要は、第１実施形態における締着部材とは、バスダクト１０に分岐装置２０が取り付けられた際に、複数の分岐導体４０、および複数の導電性接続部材１２１を一括で締着可能であれば良く、例えば、締着具４５のみが締着部材である場合や、接続側板１２３に強度を持たせてこの接続側板１２３を締着部材に含める場合、さらに別の部材用意してこれを締着部材に含める場合等、種々の構成を含むと共に、その構成を部分的に抽出した構成や、抽出した構成を更に任意に組み合わせた構成も幅広く含むものである。
【００５４】
また、第１実施形態では、一対の導電性接続部材１２１・１２１（接続部材）でバスダクトユニット１１・１１の同相導体１１１ａ・１１１ａの端部を挟持固定して電気的に接続するようにし、この導電性接続部材１２１に対して分岐装置２０の分岐導体４０を接続するようにした場合について述べたが、特にこれに限定されるものではない。同相導体１１１ａ・１１１ａ間を接続する接続部材としては、少なくとも一方が導電性接続部材１２１であれば良く、もう一方は非導電性の部材で形成されていても良い。
【００５５】
また、第１実施形態では、一対の分岐導体４０・４０で接続導体２４の端部を挟持固定するようにした場合について述べたが、特にこれに限定されるものではなく、片方のみに分岐導体４０を配置しもう一方には非導電性の部材を配置するようにしても良い。この場合、片方の分岐導体４０を下方に延設してその端部を利用して挿入部４０ａ形成するようにすることで、上述の第１実施形態と同様の効果を得ることができる。
【００５６】
また、第１実施形態では、分岐装置２０の取り付け前にバスダクト１０（接続ユニット１２）の締着具１２６を緩め、バスダクト１０の取り付け後に再度締着具１２６を締め付けるようにする場合について述べたが、特にこれに限定されるものではない。
例えば、分岐装置２０の挿入部４０ａ・４０ａの合計の厚み寸法を導電性接続部材１２１・１２１の離間距離（バスダクト１０の導体１１１ａの厚み寸法）よりも僅かに小さい寸法に設定したり、或いは、導電性接続部材１２１・１２１の離間距離が分岐装置２０の挿入部４０ａの挿入部分において挿入部４０ａ・４０ａの合計の厚み寸法よりも僅かに大きい寸法（僅かに離間する寸法）に設定したりしても良い。このようにすることで、締着具１２６を緩めなくても導電性接続部材１２１・１２１間に分岐装置２０の挿入部４０ａを挿入することができる。この場合でも、挿入部４０ａの挿入後に締着部材（締着具４５及び押圧部材４３）を締め付けることにより、挿入部４０ａ（分岐導体４０）と導電性接続部材１２１とを電気的に接続できるため、上述の第１実施形態と同様の効果を得ることができる。
【００５７】
また、第１実施形態では、バスダクト１０（接続ユニット１２）の接続側板１２３の凹部１２３ａをバスダクト側位置決め部とし、分岐装置２０の押圧部材４３を分岐側位置決め部とするようにした場合について述べたが、特にこれに限定されるものでは無い。以下に示す変形例のように構成しても良い。
【００５８】
具体的には、例えば、図７に示す分岐側位置決め部７０を分岐装置２０に設けるようにしても良い。この分岐側位置決め部７０は、側面視で略逆凹字形状に形成され（略逆凹字形の平板状に形成され）、分岐装置２０（分岐ユニット６０）の側面（分岐側板４２）に締着部材（締着具４５及び押圧部材４３）を避けて装着できるようになっている。分岐側位置決め部７０は、分岐装置２０（分岐ユニット６０）に装着されたときに、その両方の端部７１・７１が分岐装置２０（分岐ユニット６０）よりも下方に突出するようになっている。端部７１は、その下方が外方向に斜めに屈曲していると共に、その上方に嵌合孔７２が設けられている。
【００５９】
これにより、作業者は、バスダクト１０に分岐装置２０を取り付ける際、分岐ユニット６０の部分が接続ユニット１２の近傍に位置するように分岐装置２０を移動させた後、分岐側位置決め部７０の嵌合孔７２に接続側板１２３のビス１２３ｂ（バスダクト側位置決め部）が入るように位置合わせして、バスダクト１０に当接するまで分岐装置２０を近づける。このとき、分岐側位置決め部７０の端部７１の下方が接続側板１２３から離間する方向に斜めに屈曲しているため、ビス１２３ｂによって分岐側位置決め部７０が外方に押し広げられる。
そして、図８に示すように、嵌合孔７２の位置にビス１２３ｂが到達するとビス１２３ｂが嵌合孔７２に嵌合して分岐側位置決め部７０全体が元の形に戻り、バスダクト１０に対する分岐装置２０の位置決めが完了する。尚、この場合、バスダクト１０に対する分岐装置２０の分岐導体４０（挿入部４０ａ）の挿入深さ方向の位置も決定されるようになっており、使い勝手が良いものとなっている。尚、第１実施形態において、上述した凹部１２３ａ（バスダクト側位置決め部）及び押圧部材４３（分岐側位置決め部）と併用するようにすると、より使い勝手が良い。
【００６０】
《第２実施形態》
次に、第２実施形態のバスダクト分岐システムについて図９〜１４を用いて説明する。
【００６１】
ここで、図９は、第２実施形態のバスダクト分岐システムを構成するバスダクトを説明するための図であり、（ａ）がバスダクトの側面図、（ｂ）がバスダクトのハウジング内の導体の端部を示した模式図である。図１０は、第２実施形態のバスダクトを構成する接続ユニットの断面を示す模式図である。図１１は、第２実施形態のバスダクト分岐システムを構成する分岐装置の側面図である。図１２は、第２実施形態のバスダクト分岐システムを構成する分岐装置の分岐ユニットの断面を示す模式図である。図１３は、第２実施形態のバスダクト分岐システムを構成する分岐装置がバスダクトに装着された状態を示した模式図である。図１４は、第２実施形態のバスダクト分岐システムを構成する分岐装置がバスダクトに装着された状態の断面を示した模式図である。
【００６２】
尚、以下では、第１実施形態と同じ構成或いは類似する構成に関しては同じ符号を付し、その説明を省略する。また、第２実施形態では、バスダクト１０側の導電性部材としての機能を有する構成（分岐装置２０と電気的に接続するための構成）が第１実施形態の「導電性接続部材１２１」から「導体（導体端部）２１１ａ」に変更されている。また、第１実施形態の「上側の接続上下板３０」が「接続上板２３０」に変更され、第１実施形態の「分岐導体４０」が「分岐導体２４０」に変更され、そして、接続ユニット１２及び分岐ユニット６０の一部の部材の寸法等が変更されている。
【００６３】
先ず、第２実施形態のバスダクト１０のうち、第１実施形態と異なる構成を説明する。
【００６４】
第２実施形態では、バスダクト１０の構成のうち、導電性部材としての機能を有する構成（分岐装置２０と電気的に接続するための構成）が第１実施形態の導電性接続部材１２１から導体端部（導体）２１１ａに変更されている。
具体的には、図９に示すように、バスダクト１０のハウジング内の導体１１１ａ（図中の符号１１１は、導体１１１ａを絶縁被覆した絶縁被覆導体を示している）は、その端部（導体端部）２１１ａが、側面視で略Ｌ字型に上方に延設した形状に形成されている。また、第２実施形態の接続ユニット１２は、図９、１０に示すように、第１実施形態の導体１１１ａの端部と比べて、導体端部（導体）２１１ａが上方への延設されている分だけ導電性接続部材１２１以外の部材が、第1実施形態のものと比べて上方へ延設されている。また、第２実施形態の接続ユニット１２の上側の開放面は、接続上板２３０が配置されるようになっている。
【００６５】
接続上板２３０は、第２実施形態の接続ユニット１２の形状（上方に突出した形状）に合わせて、その基部２３１が側面視でハット形状に屈曲されており、基部２３１のそれぞれの平面における側方の両端縁を略直角に屈曲延設することで補強片２３２（図１０参照）が形成されている。
【００６６】
次に、第２実施形態の分岐装置２０のうち、第１実施形態と異なる構成について説明する。
【００６７】
第２実施形態の分岐装置２０は、接続導体２４の厚さ方向の両側に、一対の分岐導体４０ではなく、一対の分岐導体２４０（板状の分岐導体２４０）が設置された構成になっている。一対の分岐導体２４０は、相互に離間し且つ相対向するように配置されている。また、分岐導体２４０は、図１２に示すように、第１実施形態の分岐導体４０とは異なり、その下端に挿入部４０ａに相当する部位が形成されていない。そして、第２実施形態の分岐ユニット６０は、図１１に示すように、第２実施形態の接続ユニット１２の形状（上方に突出した形状）に合わせて、全体が上方に配置されている。
尚、一対の分岐導体２４０・２４０は、上述のように別体で構成しても良いし、例えば、金属板を側面視で下に開口した略コ字型形状に折り曲げることで一体物として形成しても良く、要は、その構成は適宜である。
【００６８】
以上のような構成の第２実施形態のバスダクト分岐システムにおいて、分岐装置２０をバスダクト１０に取り付ける施工手順を説明する。
【００６９】
具体的には、先ず、作業者は、バスダクト１０の接続ユニット１２の接続上板２３０を取り外し、接続ユニット１２の締着具１２６を緩める。その後、分岐ユニット６０の部分が接続ユニット１２の近傍に位置するように分岐装置２０を移動させ、バスダクト１０（接続ユニット１２）の接続側板１２３の凹部１２３ａに分岐装置２０の押圧部材４３（締着部材の一部）を位置合わせして上から挿入するようにして、バスダクト１０に当接するまで分岐装置２０を近づける。
ことのき、図１４に示すように、分岐装置２０の分岐導体２４０・２４０は、バスダクト１０のハウジングの内部に挿通される。そして、バスダクト１０の接続ユニット１２の導体端部（導体）２１１ａが分岐装置２０の分岐導体２４０・２４０の間に挿入され、これら分岐導体２４０・２４０が導体端部（導体）２１１ａに当接した状態（分岐導体２４０と導体端部２１１ａとが接した状態や、僅かに離間して対向配置された状態を広く含む）となる。
【００７０】
次に、作業者は、接続ユニット１２の締着具１２６を締め付けると共に、分岐ユニット６０の締着具４５を締め付け、固定部材２６でバスダクト１０の第１補強部１１３ａを把持する。尚、締着具１２６による締め付けは、一度緩めた締着具１２６を再締め付けしても良いし、別途新たに用意した締着具１２６で締め付けても良い。
【００７１】
このとき、分岐ユニット６０の締着部材（締着具４５及び押圧部材４３）は、分岐装置２０側において、複数（この場合３相）の接続導体２４と、その厚さ方向の両側にそれぞれ配置される一対の分岐導体２４０・２４０と、絶縁セパレータ４１と、これらの外方に配置される一対の分岐側板４２・４２とを締め付けることで、接続導体２４と分岐導体２４０とを電気的に接続すると共に、接続導体２４や分岐導体２４０を分岐装置２０のハウジング（この場合、分岐側板４２）に機械的に固定している。
【００７２】
その一方で、分岐ユニット６０の締着部材（締着具４５及び押圧部材４３）は、バスダクト１０側において、複数（この場合３相）の分岐導体２４０・２４０と、その間にそれぞれ配置される導体端部２１１ａ（導電性部材）と、絶縁セパレータ１２２と、これらの外方に配置される一対の接続側板１２３・１２３とを締め付けることで、分岐導体２４０と導体端部２１１ａとを電気的に接続すると共に、分岐導体２４０や導体端部２１１ａをバスダクト１０のハウジング（この場合、接続側板１２３）に機械的に固定している。
【００７３】
このようにして、第２実施形態においても、バスダクト１０に予めタップオフ分岐構造を設けておかなくても、分岐装置２０を取り付けることによって、分岐導体２４０によるタップオフ分岐構造を容易に後付けしてバスダクトから電力を分岐させることができる。
【００７４】
すなわち、第２実施形態のバスダクト分岐システムは、バスダクト１０側の導電性部材と分岐装置２０側の分岐導体２４０との接続の雄雌嵌合構造が第１実施形態のバスダクト分岐システムと逆の関係になっている。このような第２実施形態の構成によっても、第１実施形態と同様の効果を得ることができる。
【００７５】
以上、説明したように、本実施形態（第１〜２実施形態及びその変形例）によれば、バスダクト１０に予めタップオフ分岐構造を設けておかなくても、タップオフ分岐構造を容易に後付けしてバスダクトから電力を分岐させることができる。
尚、本発明は、上述した実施形態（第１〜２実施形態及び他の形態）に限らず、その要旨の範囲内において種々の変更が可能である。
【００７６】
例えば、第１及び第２実施形態及びその変形例では、絶縁被覆型バスダクト１０を用いる場合について述べたが、本発明はこれに限らず、空気絶縁型バスダクトであっても良い。
【００７７】
また、第１及び第２実施形態及びその変形例では、分岐装置２０をバスダクト１０の接続ユニット１２に取り付ける場合について述べたが、本発明はこれに限らない。例えば、絶縁被覆型のバスダクトであるならば、プラグイン端子の接続用としてバスダクトユニット１１の一部がバスダクトの厚み方向に膨張されて膨張部が形成され、露出した導体１１１ａが相互に離間して配置されている場合等には、そこに第２実施形態の分岐装置２０を取り付けるようにしても良いし、それぞれの導体１１１ａを挟み込むように接続部材（少なくとも一方が導電性接続部材であれば良い）が設けられているならば第１実施形態の分岐装置２０を取り付ける用にしても良い。また、空気絶縁型バスダクトであるならば、ハウジングの任意の位置に開口を設け、上述の絶縁被覆型バスダクトの場合と同様に、そこに第１実施形態又は第２実施形態の分岐装置２０を取り付けるようにしても良い。
【００７８】
また、第１実施形態及びその変形例では、一対の導電性接続部材１２１・１２１（導電性部材）でバスダクトユニット１１・１１の同相導体１１１ａ・１１１ａの端部を締着具１２６（バスダクト側締着具）で締め付けて電気的に接続（突合せ接続）するようにし、この導電性接続部材１２１に対して分岐装置２０の分岐導体４０を接続するようにした場合について述べたが、特にこれに限定されるものではない。例えば、バスダクトユニット１１・１１の同相導体１１１ａ・１１１ａの端部同士を重ね合わせて締着具（バスダクト側締着具）で締め付けて電気的に接続（重ね合わせ接続）するような場合に、この導体１１１ａの一部を第２実施形態の導体端部２１１ａのように上方に延設し、その延設部分（導電性部材）に対して第２実施形態の分岐装置２０の分岐導体２４０のような構造で電気的な接続を実現するようにしても良い。どちらの構成であっても、バスダクトユニット１１同士の接続に用いられている締着具（バスダクト１０側締着具）とは別に、バスダクト１０の導電性部材と分岐装置２０の分岐導体とを分岐装置２０側に設けられた締着具（分岐装置側締着具）で締着することになるため、バスダクト１０側の締着部材のみで一括で締着する場合に比べて強固に結合することができ、強固なタップオフ分岐構造を容易に後付けでバスダクトに設置することができる。
【００７９】
また、第１及び第２実施形態及びその変形例では、分岐装置２０にブレーカ２３を設けるようにした場合について述べたが、本発明はこれに限らず、例えば図１５及び図１６に示すような、ブレーカを有さない構成であっても良い。
【００８０】
以下、図１５及び図１６に示す分岐装置３２０について詳述するが、第１実施形態及び第２実施形態と同じ構成或いは類似する構成に関しては同じ符号を付し、その説明を省略する。
尚、図１５は、本実施形態（第１〜２実施形態）の分岐装置の変形例を示した図であり、（ａ）が平面図、（ｂ）が側面図である。また、図１６は、図１５に示す分岐装置の模式断面図である。
【００８１】
分岐装置３２０は、図１６に示すように、複数相（この場合３相）分の分岐導体３４０と、各分岐導体３４０の厚さ方向の両側に配置される一対の導電性接続部材３５０（分岐側導電性部材）と、絶縁セパレータ４１と、これらの外方に配置される分岐側板４２と、分岐側板４２の外方にさらに配置された押圧部材４３とが設けられており、これらを絶縁スリーブ４４に挿通してなる締着具４５で緊締する構成となっている（押圧部材４３及び締着具４５が締着部材に相当する）。
尚、絶縁セパレータ４１は、導電性接続部材３５０（分岐側導電性部材）を含む異相の分岐導体３４０間及び導電性接続部材３５０を含む最外側の分岐導体３４０と分岐側板４２間を絶縁する位置に設置されている。
【００８２】
３相の分岐導体３４０のそれぞれに対応する一対の導電性接続部材３５０の少なくとも一方は、上方へそれぞれ延設されていると共に、３相のうちの外側の２相については略９０°外側に更に屈曲延設されて導体接続部３５１（ケーブル等の導体を接続するための部位）が形成された構成となっている。そして、導体接続部３５１のそれぞれには、ケーブル等の導体を接続するための孔３５２（図１５（a）、（ｂ）参照）が形成されている。
【００８３】
分岐装置３２０は、上面から前面と後面の両方に亘って覆うカバー３４６が設けられている。カバー３４６は、その基部３４７が側面視でハット形状に屈曲されており（図１５（ｂ）参照）、基部３４７のそれぞれの平面における側方の両端縁を略直角に屈曲延設することで補強片３４８が形成されている。すなわち、分岐装置３２０において、分岐側板４２とカバー３４６がハウジングに相当する。尚、カバー３４６は必ずしも必須ではなく、後に分岐装置３２０全体を箱体で覆って使用するような場合には省略可能である（すなわちその場合は、分岐側板４２のみが分岐装置３２０のハウジングとなる）。
【００８４】
このような分岐装置３２０であっても、第１及び第２実施形態及びその変形例の分岐装置２０と同様に、後付けでバスダクト１０に取り付けることができるため、上述の第１及び第２実施形態及びその変形例と同様の効果を得ることができる。
【００８５】
以上、第１及び第２実施形態及びその変形例のバスダクト分岐システムについて説明したが、本発明はこれに限定されず、本発明を実施できる範囲であれば、実施形態や他の実施形態の各構成を適宜変更した形態や、実施形態や変形例の各構成を部分的に抽出して構成した形態や、実施形態や変形例の各構成の一部又は全部を任意に抽出して組み合わせて構成した形態についても広く包含するものである。
【符号の説明】
【００８６】
１０…バスダクト
１１…バスダクトユニット
１１１…絶縁被覆導体
１１１ａ…導体
１１２…パイプスペーサ
１１３…側板
１１３ａ…第１補強部（側板）
１１３ｂ…第２補強部（側板）
１１４ａ…ボルト
１１４ｂ…ナット
１１５…膨出側部
２１１ａ…導体端部（導体）
１２…接続ユニット
１２１…導電性接続部材
１２２…絶縁セパレータ
１２３…接続側板
１２３a…凹部（接続側板）
１２４…押圧部材
１２５…絶縁スリーブ
１２６…締着具
３０…接続上下板
３２…基部（接続上下板）
３４…補強片（接続上下板）
２３０…接続上板
２３１…基部（接続上板）
２３２…補強片（接続上板）
２０…分岐装置
２２…箱体
２２a…底面（箱体）
２２ｂ…側壁（箱体）
２２ｃ…前壁（箱体）
２２ｄ…後壁（箱体）
２２ｅ…蓋体（箱体）
２３…ブレーカ
２４…接続導体（分岐側導電性部材）
２６…固定部材
６０…分岐ユニット
４０…分岐導体（分岐ユニット）
４０a…挿入部（分岐導体（分岐ユニット））
４１…絶縁セパレータ（分岐ユニット）
４２…分岐側板（分岐ユニット）
４２ａ…凹部（分岐側板（分岐ユニット））
４３…押圧部材（分岐ユニット）
４４…絶縁スリーブ（分岐ユニット）
４５…締着具（分岐ユニット）
４６…カバー（分岐ユニット）
４６ａ…上面基部（カバー（分岐ユニット））
４６ｂ…前面基部（カバー（分岐ユニット））
４６ｃ…前方接続片（カバー（分岐ユニット））
４６ｄ…後方接続片（カバー（分岐ユニット））
４６ｅ…補強片（カバー（分岐ユニット））
７０…分岐側位置決め部
７１…端部（分岐側位置決め部）
７２…嵌合孔（分岐側位置決め部）
３２０…分岐装置
３４０…分岐導体      
３４６…カバー
３４７…基部（カバー）
３４８…補強片（カバー）
３５０…導電性接続部材
３５１…導体接続部（導電性接続部材）
３５２…孔（導電性接続部材）
【図１】
2018046657.tif 000003
【図２】
2018046657.tif 000004
【図３】
2018046657.tif 000005
【図４】
2018046657.tif 000006
【図５】
2018046657.tif 000007
【図６】
2018046657.tif 000008
【図７】
2018046657.tif 000009
【図８】
2018046657.tif 000010
【図９】
2018046657.tif 000011
【図１０】
2018046657.tif 000012
【図１１】
2018046657.tif 000013
【図１２】
2018046657.tif 000014
【図１３】
2018046657.tif 000015
【図１４】
2018046657.tif 000016
【図１５】
2018046657.tif 000017
【図１６】
2018046657.tif 000018